(57)【要約】【目的】  組み立て性が良く、運転音を静音化できる等の掃除機性能を向上し得る電気掃除機を提供する。【構成】  電気掃除機の掃除機本体１にファンモータ４Ａを内設するモータケース４と、ファンモータ４Ａ及びファンケースを備える。ファンモータ４Ａの吸気口５外周部に緩衝部材６を設ける。モータケース４にはファンモータ４Ａの吸気口５を保持する吸気口保持部４Ｂと、ファンモータ４Ａから排出される排気をケース４外部に排出するケース排気口８、及びその外面に保持部７を設ける。掃除機本体１に本体内部に吸気された清掃気流をファンモータ４Ａが吸気するための吸気口１０と、本体内部に吸気された清掃気流を外部に排出するための排気口１２、及びモータケース４の保持部７を固定する支持部１１を設ける。保持部７はファンモータ４Ａの初期駆動に伴う反作用によってモータケース４が回転しようとするのを防止し得る位置に一カ所設ける。【選択図】        図１
2005111023.tif 000002
【特許請求の範囲】
【請求項１】
ファンモータと、前記ファンモータを内設するモータケースと、前記ファンモータ及び前記ファンケースを備えた掃除機本体とを有し、
前記ファンモータの吸気口外周部には緩衝部材が、
前記モータケースには前記内設されるファンモータの吸気口を保持する吸気口保持部と前記内設されるファンモータから排出される排気をケース外部に排出するケース排気口、及びその外面に保持部が、
前記掃除機本体には本体内部に吸気された清掃気流を前記ファンモータが吸気するための吸気口と、本体内部に吸気された清掃気流を外部に排出するための排気口、及び前記モータケースの保持部を固定する支持部がそれぞれ設けられ、
前記保持部は前記ファンモータの初期駆動に伴う反作用によってモータケースが回転しようとするのを防止し得る位置に一カ所設けられていることを特徴とする電気掃除機。
【請求項２】
ファンモータと、前記ファンモータを内設するモータケースと、前記ファンモータ及び前記ファンケースを備えた掃除機本体とを有し、
前記ファンモータの吸気口外周部には緩衝部材が、
前記モータケースには前記内設されるファンモータの吸気口を保持する吸気口保持部と前記内設されるファンモータから排出される排気をケース外部に排出するケース排気口、及びその外面に保持部が、
前記掃除機本体には本体内部に吸気された清掃気流を前記ファンモータが吸気するための吸気口と、本体内部に吸気された清掃気流を外部に排出するための排気口、及び前記モータケースの保持部を固定する支持部がそれぞれ設けられ、
前記ケース排気口から前記掃除機本体の排気口に至る空気流路外に位置する前記モータケースの側面に、前記保持部を設けたことを特徴とする電気掃除機。
【請求項３】
前記保持部及び支持部の断面形状を、前記ケース排気口から前記掃除機本体の排気口に至る空気流路の方向に長い形状としたことを特徴とする請求項１又は２のいずれかに記載の電気掃除機。
【請求項４】
前記保持部及び支持部の断面形状を、前記ケース排気口から前記掃除機本体の排気口に至る空気流路の方向端部が先細りとなる形状としたことを特徴とする請求項１乃至３のいずれかに記載の電気掃除機。
【請求項５】
前記保持部には、前記掃除機本体の排気口側に開口して前記支持部が進入する開口部を設けたことを特徴とする請求項１乃至４のいずれかに記載の電気掃除機。
【発明の詳細な説明】
【技術分野】
【０００１】
本発明は電気掃除機に関するものであり、詳しくは電気掃除機のファンモータを内設したモータケースの固定方法に関するものである。
【背景技術】
【０００２】
従来の電気掃除機は、一般的に掃除機本体内前方に集塵室が形成され、この集塵室の後方にファンモータが内設されたモータケースが設けられている。該電気掃除機はモータケース内に設置されたファンモータの回転によって集塵室内の清掃気流を掃除機本体の後方に排出することにより集塵室内を負圧にし、この集塵室内に連通する吸塵口から清掃気流と共に塵を吸引することにより集塵するように構成されている。
【０００３】
一方、電気掃除機はファンモータを高速で回転させることにより集塵室内を負圧にして吸塵口から清掃気流と共に塵を吸引するように構成されているため、ファンモータの回転や振動などによって発生する騒音が問題となっている。そこで、モータケースに複数の保持部を設けると共に掃除機本体に複数の支持部を設け、モータケースに設けた複数の保持部と掃除機本体に設けた複数の支持部を、緩衝材を介して固定することにより、掃除機本体にモータケースを装着している。これにより、電気掃除機のファンモータの回転や振動によって発生する騒音を低減させている（特許文献１参照）。
【０００４】
【特許文献１】特開２００１−２３１７２５号公報
【発明の開示】
【発明が解決しようとする課題】
【０００５】
しかしながら、モータケースと掃除機本体との取り付け構造は、掃除機本体に設けた複数の支持部とモータケースに設けた複数の保持部に緩衝材を介して固定していた。このため、部品点数が多くなり組立作業工数も多くなってしまう問題があった。また、部品点数が多くなると掃除機本体の重量がアップしてしまうという問題もあった。
【０００６】
また、掃除機本体に設けられたモータケースを固定する複数の支持部はファンモータが吸引した清掃気流を排出する空気流路に設けられていた。この複数の支持部によって空気流路の面積が狭まって空気流路を通過する清掃気流の抵抗が増し排気風速が高くなり、風切り音などの騒音を増大させていた。
【０００７】
また、ファンモータの回転によって集塵室内の清掃気流を掃除機本体の後方に排出することにより集塵室内を負圧にしているが、集塵室内が負圧になると、モータケースは集塵室方向へ移動し、これによってモータケースと集塵室とが密着し集塵室内の真空度を高める。しかし、モータケースの後部に設けられた保持部が掃除機本体ケースに設けられた支持部に固定されているため、モータケースは集塵室側へ移動できない。このため、モータケースと集塵室とが密着し難くなり集塵室の真空度が上がりにくくなって、ファンモータの吸い込み性能の悪化の一因となっていた。
【０００８】
本発明は、前記課題に鑑み為されたものであり、組み立て性が良く、運転音を静音化できる等の掃除機性能を向上し得る電気掃除機を提供することを目的とする。
【課題を解決するための手段】
【０００９】
即ち、本発明の電気掃除機は、ファンモータと、前記ファンモータを内設するモータケースと、前記ファンモータ及び前記ファンケースを備えた掃除機本体とを有し、前記ファンモータの吸気口外周部には緩衝部材が、前記モータケースには前記内設されるファンモータの吸気口を保持する吸気口保持部と前記内設されるファンモータから排出される排気をケース外部に排出するケース排気口、及びその外面に保持部が、前記掃除機本体には本体内部に吸気された清掃気流を前記ファンモータが吸気するための吸気口と、本体内部に吸気された清掃気流を外部に排出するための排気口、及び前記モータケースの保持部を固定する支持部がそれぞれ設けられ、前記保持部は前記ファンモータの初期駆動に伴う反作用によってモータケースが回転しようとするのを防止し得る位置に一カ所設けられていることを特徴とする。
【００１０】
また、本発明の電気掃除機は、ファンモータと、前記ファンモータを内設するモータケースと、前記ファンモータ及び前記ファンケースを備えた掃除機本体とを有し、前記ファンモータの吸気口外周部には緩衝部材が、前記モータケースには前記内設されるファンモータの吸気口を保持する吸気口保持部と前記内設されるファンモータから排出される排気をケース外部に排出するケース排気口、及びその外面に保持部が、前記掃除機本体には本体内部に吸気された清掃気流を前記ファンモータが吸気するための吸気口と、本体内部に吸気された清掃気流を外部に排出するための排気口、及び前記モータケースの保持部を固定する支持部がそれぞれ設けられ、前記ケース排気口から前記掃除機本体の排気口に至る空気流路外に位置する前記モータケースの側面に、前記保持部を設けたことを特徴とする。
【発明の効果】
【００１１】
本発明のファンモータが内設されたモータケースの外面にファンモータの初期駆動に伴う反作用によってモータケースが回転しようとするのを防止し得る位置に一カ所保持部を設けた電気掃除機によれば、部品点数を削減することができ重量を軽減させることができると共に組み立て性を向上でき、またこれによりコストダウンを図ることができる。さらに保持部がファンモータの初期駆動に伴う反作用によってモータケースが回転しようとするのを防止し得る位置に設けられるので、モータケースにてファンモータを安定保持することができる。
【００１２】
また、本発明のケース排気口から前記掃除機本体の排気口に至る空気流路外に位置するモータケースの側面に、保持部を設けた電気掃除機によれば、主な空気流路より保持部及び支持部が外れることとなり、風きり音が発生しづらくなって静音化を図ることができる。
【発明を実施するための最良の形態】
【００１３】
実施の形態１．
以下、本発明の一実施形態に基づき、本発明を詳しく説明する。図１は本発明に係る電気掃除機の分解斜視図、図２は本発明に係る電気掃除機を構成する掃除機本体１（前側）の斜視図、図３は本発明に係る電気掃除機を構成する掃除機本体１（後側）の斜視図をそれぞれ示している。
【００１４】
図１に示すように、本実施形態における電気掃除機は、支持部１１に対向して支持柱１１Ｄが設けられた上側の掃除機上本体１Ａと、下側の掃除機下本体１Ｂとからなる内部に集塵室２とモータ室３が形成された掃除機本体１と、上下に２分割されファンモータ４Ａが内設されると共にモータ室３内に収納されるモータケース４とから構成されている。ファンモータ４Ａには清掃気流を吸引するための略円形の吸気口５が形成されており、この吸気口５がモータケース４の一側に設けられた吸気口保持部４Ｂに保持されることによりファンモータ４Ａはモータケース４に内設される。また、ファンモータ４Ａの側面にはファンモータ４Ａの吸気口５から吸引した清掃気流を排気する排気口（図示せず）に対応して、モータケース４の下部（ファンモータ４Ａの吸気口５と後述する保持部７との間）にもモータケース４外部に清掃気流を排出するためのケース排気口８が設けられている。
【００１５】
掃除機本体１内には当該掃除機本体１内部に吸気された清掃気流をファンモータ４Ａが吸気するための吸気口１０が設けられており、この吸気口１０は集塵室２とモータ室３を仕切る形で形成されている。ファンモータ４Ａの吸気口５周囲には振動吸収材料からなる弾性ゴム、弾性合成ゴム或いは弾性発泡樹脂などで構成された緩衝部材６が装着され、この緩衝部材６を掃除機本体１の吸気口１０に当接させることによりファンモータ４Ａの吸気口５と掃除機本体１の吸気口１０とが連通される。また、モータケース４の外面となる吸気口５と反対側の面に円筒形の保持部７が一カ所設けられている。この保持部７は、モータケース４の中心からファンモータ４Ａの初期駆動に伴う反作用によって緩衝部材６が後述する掃除機本体１内部に設けられた吸気口１０から外れようとする側に所定寸法ずれた位置（図１では掃除機本体１の後側から見て左側）に設けられている。
【００１６】
即ち、ファンモータ４Ａが駆動されると、このファンモータ４Ａの駆動によりモータケース４はファンモータ４Ａの回転と反対方向に動く反作用が働くが、保持部７をモータケース４の中心から上述の如く所定寸法ずらすことにより、モータケースにてファンモータを安定保持することができる。
【００１７】
また、ファンモータ４Ａの駆動により、ファンモータ４Ａの吸気口５より掃除機本体１の吸気口１０を介して集塵室２内の空気が吸引されると、集塵室２内は負圧となり、結果的にファンモータ４Ａは自らの駆動により生じた負圧に引き寄せられるため、ファンモータ４Ａを含むモータケース４は保持部７を支点にして掃除機本体１の吸気口１０方向に動く。ファンモータ４Ａの吸気口５側が掃除機本体１の吸気口１０方向に動くと、ファンモータ４Ａの吸気口５は掃除機本体１に設けられた吸気口１０に押し付けられる。
【００１８】
このように１点でモータケース４を支持することによって、ファンモータ４Ａの吸気口５と掃除機本体１の吸気口１０との間に僅か隙間がある場合などでも、ファンモータ４Ａの吸気口５は緩衝部材６を介して掃除機本体１に設けられた吸気口１０に押し付けられて密着する。これにより、その隙間から空気が入り込んでしまうのを防止することができ、ファンモータ４Ａの吸い込み性能を大幅に向上させることができる。
【００１９】
また、図２に示すように掃除機本体１の前方（集塵室２の前方）にはホース差込口１Ｃが設けられており、このホース差込口１Ｃには清掃気流と共に塵を吸引する図示しない吸塵口が設けられたホースが接続される。即ち、ホース差込口１Ｃから集塵室２、吸気口１０を介してファンモータ４Ａの吸気口５、ファンモータ４Ａ内に連通する空気流路（吸気流路）が形成されている。
【００２０】
さらに、図３に示すように掃除機本体１の後方には当該掃除機本体１内部に吸気された清掃気流を外部に排出するための排気口１２が設けられている。即ち、掃除機本体１の後方には前記モータケース４に設けられたケース排気口８から排出される清掃気流を掃除機本体１外部に排出するための排気口１２が設けられている。該ケース排気口８と掃除機本体１の排気口１２とは連通しており、これによってファンモータ４Ａからケース排気口８、掃除機本体１の排気口１２を介して掃除機本体１外に連通する排気流路（本発明の空気流路に相当）が形成される。
【００２１】
掃除機本体１の排気口１２近傍には図１に示すように前記保持部７を保持可能な円柱形状の支持部１１が立設されている。この支持部１１は掃除機本体１側（下側）に設けられた支持元部１１Ａとこの支持元部１１Ａに連続して上側に設けられた嵌入支持部１１Ｂとから構成されている。支持元部１１Ａは嵌入支持部１１Ｂより大径に形成され、この嵌入支持部１１Ｂには振動吸収材料からなる弾性ゴム、弾性合成ゴム或いは弾性発泡樹脂などで構成され下部にフランジ状のツバ部１４Ａを有した所定長さの円筒形の緩衝材１４が嵌入される。
【００２２】
この緩衝材１４は前記モータケース４に設けられた保持部７より上下方向に所定寸法凸出する長さに形成されている。尚、嵌入支持部１１Ｂに嵌入した緩衝材１４は支持元部１１Ａにより支持され下方への落下が阻止される。また、緩衝材１４のツバ部１４Ａは保持部７の下面を受けられる保持部７より大径構造になっている。これにより、モータケース４が重さで傾かないように構成している。
【００２３】
そして、モータケース４の保持部７内に緩衝材１４を嵌入し、ファンモータ４Ａの吸気口５に設けた緩衝部材６を掃除機本体１に設けた吸気口１０に合致させながら緩衝材１４を支持部１１の嵌入支持部１１Ｂに嵌入する。この場合、緩衝材１４の下側（ツバ部１４Ａ）は支持元部１１Ａに当接し、保持部７は緩衝材１４のツバ部１４Ａと僅か間隔を存して上側に位置する。
【００２４】
また、支持部１１に保持部７が嵌入された状態で、ファンモータ４Ａの吸気口５と掃除機本体１の吸気口１０間の緩衝部材６は所定寸法弾性変形する。これによって、ファンモータ４Ａの吸気口５は緩衝部材６を介して掃除機本体１の吸気口１０に密着すると共に、緩衝部材６は所定寸法弾性変形しこの弾性反発力でファンモータ４Ａの吸気口５と掃除機本体１の吸気口１０間を密封する。尚、嵌入支持部１１Ｂに緩衝材１４を嵌着してから、緩衝材１４に保持部７を嵌着しても差し支えない。
【００２５】
そして、掃除機下本体１Ｂと掃除機上本体１Ａが嵌合され、掃除機上本体１Ａに設けられた支持柱１Ｄに掃除機下本体１Ｂ側から支持部１１内を介して図示しないネジが締め付け固定されて、掃除機本体１内にファンモータ４Ａが内設されたモータケース４が内設される。この状態で、ファンモータ４Ａは掃除機本体１内で緩衝部材６と緩衝材１４によって支持される。係るファンモータ４Ａの回転振動はこれらの緩衝部材６と緩衝材１４によって吸収され、掃除機本体１の振動による騒音が防止される。
【００２６】
そして、ファンモータ４Ａが駆動されると、ファンモータ４Ａは集塵室２内に設けられた図示しないフイルタを介して集塵室２内の清掃気流を吸引し、ケース排気口８、掃除機本体１の排気口１２を連通する排気流路を経て掃除機本体１外に排出される。ファンモータ４Ａによって集塵室２の清掃気流が吸引されると、集塵室２内は気圧が低くなり負圧となるのでホース差込口１Ｃに接続されたホース先端の吸塵口から清掃気流と共に塵が吸引される。吸引されたゴミはフイルタにて確保され、清掃気流だけが排気流路から掃除機本体１外に排出されることとなる。
【００２７】
このように、ファンモータ４Ａの吸気口５と反対側の外面に、保持部７を一カ所設けているだけなので、電気掃除機の重量を軽くし電気掃除機の操作性を向上させることができるようになると共に、組立工数を削減でき大幅なコストダウンを図ることができる。また、モータケース４の中心からファンモータ４Ａの初期駆動に伴う反作用によって掃除機本体１の吸気口１０からファンモータ４Ａの緩衝部材６が外れようとする方向のモータケースが回転しようとするのを防止し得る位置に、保持部７を一カ所設けたので、モータケース４を保持する保持部７が一カ所であってもファンモータ４Ａをモータケース４にて安定保持することができると共に、保持部７が１カ所であるため負圧によりモータケース４が吸気口１０に引き寄せられて、緩衝部材６を介してファンモータ４Ａの吸気口５と掃除機本体１の吸気口１０間を密封することができる。
【００２８】
これにより、緩衝部材６が経年劣化しファンモータ４Ａの吸気口５と掃除機本体１の吸気口１０との間に僅か隙間が発生した場合などでも、ファンモータ４Ａの吸気口５は緩衝部材６を介して掃除機本体１に設けられた吸気口１０に押し付けられて密着させることができる。そして、その隙間から空気が入り込んでしまうのを防止することができるので、吸い込み性能を大幅に向上することができる。
【００２９】
また、ケース排気口８と掃除機本体１の排気口１２間には保持部７（支持部１１を含む）を一カ所しか設けていないので、電気掃除機の重量を軽くすることができるようになると共に、排気通路内を通過する清掃気流の抵抗も小さくすることができる。これにより、排気風速を従来より低くできるので、風切り音などの騒音を低減させることができる。
【００３０】
尚、実施形態では、保持部７を掃除機本体１の後側から見てモータケース４の中心から左側に設けたが、ファンモータ４Ａの初期駆動に伴う反作用が前述の方向と反対方向に働く場合は、保持部７を掃除機本体１の後側から見てモータケース４の中心から所定寸法右側に設ければ良い。これによって緩衝部材６が経年劣化しファンモータ４Ａの吸気口５と掃除機本体１の吸気口１０との間に僅か隙間が発生した場合などでも、前述同様の効果を得ることができる。
【００３１】
実施の形態２．
本実施形態における電気掃除機は、前述の実施形態と略同じ構成を有している。以下、異なる部分について説明する。図４は、本発明の他の一実施形態のモータケース４の斜視図（後側）である。尚、前述の実施の形態と同じ部分にはこれと同じ符号を付し、説明を省略する。
【００３２】
即ち、モータケース４の保持部７と掃除機本体１に設けた支持部１１の断面形状を、ケース排気口８から掃除機本体１の排気口１２に至る排気流路の清掃気流が移動する空気流の方向に長い形状としている。詳しくは、保持部７と支持部１１（支持元部１１Ａと嵌入支持部１１Ｂの双方）及び、緩衝材１４の断面形状を、ケース排気口８から掃除機本体１の排気口１２に至る排気流路内を排気される清掃気流が移動する方向、即ち、清掃気流の風上方向に（白抜き矢印）に対して先細り形状に形成している。また、緩衝材１４の下側には前述同様所定寸法突出したツバ部１４Ａが形成されている。
【００３３】
この場合、保持部７と支持部１１及び緩衝材１４の形状としては、例えば、船の舳先状、楕円形状、或いは三角状、先端先細りの５角、６角などの多角形状など、先端先細り形状に形成されている。これにより、排気流路内を排気される清掃気流抵抗を更に減少させることができる。従って、渦流の発生を極めて低く抑えることができるので、風切り音などの騒音を更に低減させることができる。
【００３４】
また、モータケース４の保持部７と掃除機本体１に設けた支持部１１の断面形状を、ケース排気口８から掃除機本体１の排気口１２に至る排気流路の方向に長い形状としているので支持部１１の強度を向上させることができ、一カ所の支持部１１でもモータケース４を強固に保持することができる。これにより、ファンモータ４Ａの初期駆動時の反作用によってモータケース４は保持部７を支点にしてファンモータ４Ａが掃除機本体１の吸気口１０から外れようとした場合でも破損してしまうのを防止することができる。また、支持部１１は一カ所設けているだけなので、組立工数を削減できて大幅なコストダウンを図ることができる。
【００３５】
実施の形態３．
本実施形態における電気掃除機は、前述の各実施形態と略同じ構成を有している。以下、異なる部分について説明する。図５は、本発明の他の一実施形態の掃除機本体１の斜視図（後側）である。尚、前述の実施の形態と同じ部分にはこれと同じ符号を付し、説明を省略する。この場合、モータケース４に設けた保持部７は、モータケース４の離間側を開口する断面Ｕ字状に形成して支持部１１（緩衝材１４を含む）が進入可能な開口部７Ａを設けている。
【００３６】
即ち、モータケース４に設けた保持部７の開口部７Ａ側から上下端部にツバ部１４Ａ、１４Ｂを設けた緩衝材１４が挿入される。この上下のツバ部１４Ａ、１４Ｂ間は、保持部７の上下面に略接する又は少許隙間が開く間隔に構成されている。そして、保持部７の開口部７Ａから緩衝材１４が挿入される。他、実施の形態２同様に構成されると共に、前述同様に組み立てられる。
【００３７】
このように、モータケース４に設けた保持部７に開口部７Ａを設けると共に、緩衝材１４の上下にツバ部１４Ａ、１４Ｂを設けているので、保持部７の開口部７Ａに緩衝材１４を挿入するだけで、緩衝材１４を保持部７に嵌入することができる。これにより、組み立て作業効率を大幅に向上させることができる。また、緩衝材１４の上下にツバ部１４Ａ、１４Ｂを設けているので、保持部７に対する緩衝材１４の上下位置を容易に決めることができる。従って、保持部７に対する緩衝材１４の位置合わせを容易に行うことができ、更に、組み立て作業効率を向上させることができる。
【００３８】
また、モータケース４に設けた保持部７に開口部７Ａを設けたことにより、モータケース４が掃除機本体に対して前後方向に可動に取りつけられるため、ファンモータ４Ａ及びモータケース４の掃除機本体１に対して前後方向の動きに比較的余裕を持つことができ、ファンモータ４Ａ及びモータケース４を掃除機本体にセットする際に吸気口５の外周に設けられた緩衝部材６が吸気口１０を接触しないような間隔を確保でき、緩衝部材６と吸気口１０との間で摩擦が生じてなかなかセットできないというような問題を解決でき、より組立作業性を向上させることができる。
【００３９】
さらに、ファンモータ４Ａ及びモータケース４の掃除機本体１に対して前後方向の動きに比較的余裕を持つことができることによって、ファンモータ４Ａを駆動させた際に負圧によって、モータケース４が吸気口側に動き、より強固に吸気口１０に緩衝部材６を密着させることができ、吸い込み性能を向上させることができる。
【００４０】
一方、図６には、他の保持部７と緩衝材１４とを示している。この場合、保持部７の開口部７Ａ内と、緩衝材１４外面に突起７Ｂ、１４Ｂを設けている。即ち、保持部７の開口部７Ａ内両側には開口部７Ａから奥方向に渡って複数の突起７Ｂが設けられると共に、これら開口部７Ａ内両側の複数の突起７Ｂはそれぞれ対向位置に設けられている。
【００４１】
複数設けられた対向する両突起７Ｂは奥から開口部７Ａ側方向に行くに従って相互に近接する傾斜形状を呈している。即ち、両対向突起７Ｂは開口部７Ａ内の一側から略直角に所定寸法延在して近接し、そこで折れ曲がって開口部７Ａから奥方向に行くに従って相互に離間する傾斜形状を呈している。
【００４２】
また、緩衝材１４の両外面には緩衝材１４が保持部７内に嵌入された状態で当該保持部７内の開口部７Ａから奥方向に渡って複数の突起１４Ｂが設けられると共に、これら緩衝材１４の両外面の複数の突起１４Ｂはそれぞれ対向位置に設けられている。該対向して設けられた両対向突起１４Ｂは開口部７Ａ側を狭く、奥方向に行くに従って相互に離間する傾斜形状を呈している。
【００４３】
このように形成された両突起７Ｂ、１４Ｂは、緩衝材１４が保持部７内に嵌入された状態で保持部７が緩衝材１４より離間側に移動すると、保持部７の突起７Ｂの傾斜部は円滑に緩衝材１４の突起１４Ｂを乗り越え（この場合、保持部７の突起７Ｂが緩衝材１４の突起１４Ｂを乗り越えるとき双方の突起７Ｂ、１４Ｂは弾性変形して乗り越える）、保持部７の突起７Ｂは乗り越えた突起１４Ｂに係止されそこでロックして戻らなくなる。
【００４４】
更に、保持部７が緩衝材１４より離間側に移動すると、保持部７の突起７Ｂは乗り越えた突起１４Ｂに係止されそこでロックされ戻らなくなる。尚、緩衝材１４は支持部１１の嵌入支持部１１Ｂに嵌入されているので、保持部７（モータケース４）だけが掃除機本体１の吸気口１０方向に動く。他、図５同様に構成されると共に、前述同様に組み立てられる。
【００４５】
このように、保持部７の開口部７Ａ内と緩衝材１４外面に突起７Ｂ、１４Ｂを設けているので、例えば、モータケース４のファンモータ４Ａの吸気口５に設けた緩衝部材６が経年劣化しファンモータ４Ａの吸気口５と掃除機本体１の吸気口１０との接触圧力が弱くなったり、その間に僅か隙間が発生した場合などでも、ファンモータ４Ａの駆動により集塵室２内の気圧が低くなり負圧になると、モータケース４は掃除機本体１の吸気口１０側に吸い寄せられ移動する。これによって、両突起７Ｂ、１４Ｂは弾性変形して相互に乗り越え、乗り越えた両突起７Ｂ、１４Ｂは弾性復帰し、そこで突起１４Ｂと突起７Ｂとがロックされて戻るのが阻止される。
【００４６】
これによって、ファンモータ４Ａの吸気口５は緩衝部材６を介して掃除機本体１に設けられた吸気口１０に押し付けられて密着するので、ファンモータ４Ａの吸気口５と掃除機本体１の吸気口１０との間に大きな隙間が開いてしまうなどの不都合を防止することができるようになると共に、その隙間から空気が入り込んでしまうのを防止することができ、吸い込み性能を大幅に向上させることができる。尚、組み立て時は弾性を有する緩衝材１４をつぶしながら両突起７Ｂ、１４Ｂが接触しないようにしながら嵌入することができるので、組み立て作業性を阻害するなどの不都合もない。
【００４７】
また、このような構成であれば、モータケース４に設けた保持部７に開口部７Ａを設け、モータケース４が掃除機本体に対して前方向にのみ可動に取りつけられるため、ファンモータ４Ａ及びモータケース４を掃除機本体にセットする際に吸気口５の外周に設けられた緩衝部材６が吸気口１０を接触しないような間隔を確保でき、緩衝部材６と吸気口１０との間で摩擦が生じてなかなかセットできないというような問題を解決でき、より組立作業性を向上させることができる。
【００４８】
さらに、ファンモータ４Ａを駆動させた際に負圧によって、ファンモータ４Ａ及びモータケース４が掃除機本体１に対して吸気口１０側（前方向）に動き、より強固に吸気口１０に緩衝部材６を密着させることができ、その密着が維持されるので吸い込み性能を向上させることができる。
【００４９】
実施の形態４．
本実施形態における電気掃除機は、前述の実施形態と略同じ構成を有している。以下、異なる部分について説明する。図７は、本発明の他の一実施形態の掃除機本体１の平面図である。尚、前述の実施の形態と同じ部分にはこれと同じ符号を付し、説明を省略する。即ち、モータケース４の両側面に一箇所ずつ保持部７を設け、この保持部７に対応する掃除機下本体１Ｂに支持部１１を設けている。詳しくは、ケース排気口８（図１で図示、図７では図示していない）から掃除機本体１の排気口１２に至る排気流路外に位置するモータケース４の側面に、実施形態１同様の保持部７を設け、掃除機下本体１Ｂに実施形態１同様の支持部１１を設けている。
【００５０】
そして、実施形態１同様モータケース４の保持部７内に緩衝材１４が嵌入され、この緩衝材１４内に掃除機下本体１Ｂに設けた支持部１１が嵌入される。掃除機下本体１Ｂと掃除機上本体１Ａが嵌合され、前述同様図示しないネジが締め付け固定されて、掃除機本体１内にファンモータ４Ａが内設されたモータケース４が取り付けられる。尚、２０はファンモータ４Ａに電源を供給するための電源コードである。
【００５１】
このように、ケース排気口８から掃除機本体１の排気口１２に至る排気流路外に保持部７を設けているので、保持部７によってケース排気口８から掃除機本体１の排気口１２を通って掃除機本体１外に排出される清掃気流に対する抵抗を無くすことができる。従って、渦流の発生を抑えることができるので、風切り音などの騒音を極めて低減させることができる。
【００５２】
実施の形態５．
本実施形態における電気掃除機は、前述の実施の形態４と略同じ構成を有している。以下、異なる部分について説明する。図８は、本発明の他の一実施形態の掃除機本体１の平面図である。尚、前述の実施の形態と同じ部分にはこれと同じ符号を付し、説明を省略する。本実施形態では、モータケース４の両側面にファンモータ４Ａの吸気口５側から掃除機本体１の排気口１２側に延在する長い形状の支持部１１が嵌入する穴を持つ保持部７を設け、この嵌入穴に支持部１１が緩衝材１４を介して取りつけている。他は実施形態４同様に同様に組み立てられる。
【００５３】
このように、モータケース４の両側面に長い形状の嵌入穴を持つ保持部７を設けているので、モーターケース４及びそれに内包されたファンモータ４Ａは掃除機本体１に対して前後方向に可動となっている。このため、ファンモータ４Ａ及びモータケース４の掃除機本体１に対して前後方向の動きに比較的余裕を持つことができ、ファンモータ４Ａ及びモータケース４を掃除機本体にセットする際に吸気口５の外周に設けられた緩衝部材６が吸気口１０を接触しないような間隔を確保でき、緩衝部材６と吸気口１０との間で摩擦が生じてなかなかセットできないというような問題を解決でき、より組立作業性を向上させることができる。
【００５４】
さらに、ファンモータ４Ａ及びモータケース４の掃除機本体１に対して前後方向可動であることによって、ファンモータ４Ａを駆動させた際に負圧によって、モータケース４が吸気口側に動き、より強固に吸気口１０に緩衝部材６を密着させることができ、吸い込み性能を向上させることができる。
【００５５】
実施の形態６．
本実施形態における電気掃除機は、前述の実施形態と略同じ構成を有している。以下、異なる部分について説明する。図９は、本発明の他の一実施形態の掃除機本体１の斜視図（後側）である。尚、前述の実施の形態と同じ部分にはこれと同じ符号を付し、説明を省略する。この場合、モータケース４のファンモータ４Ａの吸気口５と反対側の外面となるモータケース４の略中心に保持部７を一カ所設けている。他、前述の実施の形態１と同様に構成されると共に、組み立てられている。
【００５６】
このように、モータケース４のファンモータ４Ａの吸気口５と反対側の外面となるモータケース４の中心に保持部７を一カ所設けているだけなので、従来の電気掃除機に対してケース排気口８から掃除機本体１の排気口１２を通って掃除機本体１外に排出される排気流路の清掃気流抵抗を減少させることができる。従って、渦流の発生を抑えることができるので、風切り音などの騒音を更に低減させることができ、また、電気掃除機の重量を軽減させることができる。
【図面の簡単な説明】
【００５７】
【図１】本発明の一実施形態に係る電気掃除機の分解斜視図である。
【図２】本発明の一実施形態に係る電気掃除機を構成する掃除機本体（前側）の斜視図である。
【図３】本発明の一実施形態に係る電気掃除機を構成する掃除機本体（後側）の斜視図である。
【図４】本発明の一実施形態に係る電気掃除機を構成するファンモータを内設したモータケースの斜視図である。
【図５】本発明のもう一つの実施の形態の本発明に係る電気掃除機の分解斜視図である。
【図６】同図５の発明に係る電気掃除機を構成する保持部と緩衝材の平面図である。
【図７】本発明のもう一つの実施の形態の本発明に係る電気掃除機の平面図（一部内部を開口）である。
【図８】本発明のもう一つの実施の形態の本発明に係る電気掃除機の平面図（一部内部を開口）である。
【図９】本発明のもう一つの実施の形態の本発明に係る電気掃除機の分解斜視図である。
【符号の説明】
【００５８】
１  掃除機本体、１Ａ  掃除機上本体、１Ｂ  掃除機下本体、１Ｃ  ホース差込口、２  集塵室、３  モータ室、４  モータケース、４Ａ  ファンモータ、５  吸気口、６  緩衝部材、７  保持部、８  ケース排気口、１０  吸気口、１１  支持部、１１Ａ  支持元部、１１Ｂ  嵌入支持部、１２  排気口、１４  緩衝材。
【図１】
2005111023.tif 000003
【図２】
2005111023.tif 000004
【図３】
2005111023.tif 000005
【図４】
2005111023.tif 000006
【図５】
2005111023.tif 000007
【図６】
2005111023.tif 000008
【図７】
2005111023.tif 000009
【図８】
2005111023.tif 000010
【図９】
2005111023.tif 000011